(57)【要約】【課題】一覧表示した複数のインデックス画像の画像サイズに基づいて必要な画像データを容易に見つけ出すことができ、インデックス画像として表示されている原画像の内容も容易に把握することができるようにする。【解決手段】基準サイズよりも大きい原画像サイズの画像データのインデックス画像を生成する場合は、他の原画像サイズの画像データのインデックス画像サイズとの相対的な大小関係を維持したまま、インデックス画像全体がインデックス画像表示領域に収まるように、原画像サイズに対する縮小率を大きくする。【選択図】　　　　図４
2004013355.tif 000002
【特許請求の範囲】
【請求項１】
記録媒体に記録されている画像データを読み出す画像データ読出手段と、
画像データの原画像サイズに対応させて定められたインデックス画像サイズを記憶したインデックス画像サイズ記憶手段と、
前記読み出した画像データを用いて、原画像サイズに対応するインデックス画像サイズのインデックス画像を生成するインデックス画像生成手段と、
前記生成したインデックス画像をモニタ画面上に表示するインデックス画像表示手段としてコンピュータを機能させる画像表示プログラムにおいて、
前記インデックス画像サイズ記憶手段には、基準サイズよりも大きい原画像サイズに対応するインデックス画像サイズとして、他の原画像サイズに対応するインデックス画像サイズとの相対的な大小関係を維持しつつ、当該インデックス画像の少なくとも１頁分全体が表示されるように、原画像サイズに対する縮小率を大きくしたものが記憶されていることを特徴とする画像表示プログラム。
【請求項２】
前記インデックス画像サイズ記憶手段には、上記基準サイズよりも小さい原画像サイズに対応するインデックス画像サイズとして、他の原画像サイズに対応するインデックス画像サイズとの相対的な大小関係を維持したままで、原画像サイズに対する縮小率を小さくしたものが記憶されていることを特徴とする請求項１に記載の画像表示プログラム。
【請求項３】
前記インデックス画像サイズ記憶手段に記憶されているインデックス画像サイズは、記録媒体に記録されている複数の画像データの各原画像サイズが一定範囲内に揃っている場合に、当該各原画像サイズに対応するインデックス画像同士の相対的な大小関係を維持し、かつ、当該各原画像サイズに対応するインデックス画像がインデックス画像表示領域に収まる最大のサイズとなるように設定されていることを特徴とする請求項１又は請求項２に記載の画像表示プログラム。
【請求項４】
記録媒体に記録されている画像データを読み出す画像データ読出手段と、
画像データの原画像サイズに対応させて定められたインデックス画像サイズを記憶したインデックス画像サイズ記憶手段と、
前記読み出した画像データを用いて、原画像サイズに対応するインデックス画像サイズのインデックス画像を生成するインデックス画像生成手段と、
前記生成したインデックス画像をモニタ画面上に表示するインデックス画像表示手段とを備えた画像表示装置において、
前記インデックス画像サイズ記憶手段には、基準サイズよりも大きい原画像サイズに対応するインデックス画像サイズとして、他の原画像サイズに対応するインデックス画像サイズとの相対的な大小関係を維持しつつ、当該インデックス画像の少なくとも１頁分全体が表示されるように、原画像サイズに対する縮小率を大きくしたものが記憶されていることを特徴とする画像表示装置。
【請求項５】
前記インデックス画像サイズ記憶手段には、上記基準サイズよりも小さい原画像サイズに対応するインデックス画像サイズとして、他の原画像サイズに対応するインデックス画像サイズとの相対的な大小関係を維持したままで、原画像サイズに対する縮小率を小さくしたものが記憶されていることを特徴とする請求項４記載の画像表示装置。
【請求項６】
前記インデックス画像サイズ記憶手段に記憶されているインデックス画像サイズは、記録媒体に記録されている複数の画像データの各原画像サイズが一定範囲内に揃っている場合に、当該各原画像サイズに対応するインデックス画像同士の相対的な大小関係を維持し、かつ、当該各原画像サイズに対応するインデックス画像がインデックス画像表示領域に収まる最大のサイズとなるように設定されていることを特徴とする請求項４又は請求項５記載の画像表示装置。
【発明の詳細な説明】
【０００１】
【発明の属する技術分野】
本発明は、記録媒体に記録されている複数の画像データの各インデックス画像を生成してコンピュータ等の画面上に表示する画像表示装置及びそのための画像表示プログラムに関する。
【０００２】
【従来の技術】
従来から、コンピュータ内のハードディスクや、光ディスク等の記録媒体に記録されている複数の画像データについて、各画像を縮小したサイズのインデックス画像を作成し、生成したインデックス画像をコンピュータ画面上に並べて一覧表示する画像表示装置、及びそのための画像表示プログラムが知られている。このような画像表示装置及び画像表示プログラムは、複数のインデックス画像を一覧表示する時には、図９に示すように、各画像の原画像サイズ（画像の大きさであり、スキャナ等による画像データ読込時の取り込み用紙のサイズ）に拘わらず、１つのインデックス画像を表示するために割り当てられた区画（インデックス画像表示領域）内に収まる略同一の大きさに各インデックス画像を作成する。或いは、図１０に示すように、一覧表示する複数のインデックス画像のサイズを各原画像サイズに応じて異ならせることによって、ユーザが各インデックス画像の大きさを視認するだけで、各画像の原画像サイズを把握できるようにしたものがある。
【０００３】
【発明が解決しようとする課題】
しかしながら、上記図９に示すインデックス画像の一覧表示の場合、原画像サイズに拘わらずインデックス画像を略同一の大きさに生成して一覧表示するものであるため、各インデックス画像のサイズを対比しても元の各画像の実際のサイズを把握することはできない。また、各原画像サイズに応じて各インデックス画像のサイズを異ならせて一覧表示する場合は（図１０）、Ｂ５サイズやＡ４サイズ等の事務で多用されるサイズを基準としてインデックス画像の大きさを決定すると、原画像サイズが極小（名刺サイズ等）のときはインデックス画像が小さく表示され、ユーザがインデックス画像の内容（原画像の内容）を視認し難い。また原画像サイズが大判（Ａ０サイズ等）のときは、インデックス画像がインデックス画像表示区画内に収まらないために原画像の一部分しかインデックス画像として表示することができず、ユーザが原画像全体の内容を把握できなかったり、原画像サイズを把握し難いという問題がある。
【０００４】
本発明は、上述した問題点を解決するためになされたものであり、一覧表示した複数のインデックス画像の画像サイズに基づいてユーザが必要な画像を容易に見つけ出すことができ、インデックス画像として表示されている原画像の内容も容易に把握することができるようにした画像表示プログラム及び画像表示装置を提供することを目的とする。
【０００５】
【課題を解決するための手段】
上記目的を達成するために請求項１に記載の発明は、記録媒体に記録されている画像データを読み出す画像データ読出手段と、
画像データの原画像サイズに対応させて定められたインデックス画像サイズを記憶したインデックス画像サイズ記憶手段と、
前記読み出した画像データを用いて、原画像サイズに対応するインデックス画像サイズのインデックス画像を生成するインデックス画像生成手段と、
前記生成したインデックス画像をモニタ画面上に表示するインデックス画像表示手段としてコンピュータを機能させる画像表示プログラムにおいて、
前記インデックス画像サイズ記憶手段には、基準サイズよりも大きい原画像サイズに対応するインデックス画像サイズとして、他の原画像サイズに対応するインデックス画像サイズとの相対的な大小関係を維持しつつ、当該インデックス画像の少なくとも１頁分全体が表示されるように、原画像サイズに対する縮小率を大きくしたものが記憶されているものである。
【０００６】
また、請求項４に記載の発明は、記録媒体に記録されている画像データを読み出す画像データ読出手段と、
画像データの原画像サイズに対応させて定められたインデックス画像サイズを記憶したインデックス画像サイズ記憶手段と、
前記読み出した画像データを用いて、原画像サイズに対応するインデックス画像サイズのインデックス画像を生成するインデックス画像生成手段と、
前記生成したインデックス画像をモニタ画面上に表示するインデックス画像表示手段とを備えた画像表示装置において、
前記インデックス画像サイズ記憶手段には、基準サイズよりも大きい原画像サイズに対応するインデックス画像サイズとして、他の原画像サイズに対応するインデックス画像サイズとの相対的な大小関係を維持しつつ、当該インデックス画像の少なくとも１頁分全体が表示されるように、原画像サイズに対する縮小率を大きくしたものが記憶されているものである。
【０００７】
これらの構成によれば、記録媒体から読み出した画像データの原画像サイズが基準サイズよりも大きい場合には、他の原画像サイズの画像データによるインデックス画像との相対的な大小関係を維持したまま、原画像サイズに対する縮小率を大きくしてインデックス画像を生成するので、生成した複数のインデックス画像の一覧表示時に各インデックス画像同士のサイズを対比することによって、各画像の原画像サイズを瞬時に把握して、必要なサイズの画像を簡単に見つけ出すことができ、しかも、インデックス画像の少なくとも１頁分全体を表示するので、ユーザがインデックス画像（原画像）の内容を把握し易い。
【０００８】
また、請求項２に記載の発明は、請求項１に記載の画像表示プログラムにおいて、前記インデックス画像サイズ記憶手段には、上記基準サイズよりも小さい原画像サイズに対応するインデックス画像サイズとして、他の原画像サイズに対応するインデックス画像サイズとの相対的な大小関係を維持したままで、原画像サイズに対する縮小率を小さくしたものが記憶されているものである。
【０００９】
また、請求項５に記載の発明は、請求項４記載の画像表示装置において、前記インデックス画像サイズ記憶手段には、上記基準サイズよりも小さい原画像サイズに対応するインデックス画像サイズとして、他の原画像サイズに対応するインデックス画像サイズとの相対的な大小関係を維持したままで、原画像サイズに対する縮小率を小さくしたものが記憶されているものである。
【００１０】
これらの構成によれば、読み出した画像データの原画像サイズが基準サイズよりも小さい場合にインデックス画像を大きく表示するので、一覧表示された各インデックス画像の大きさの対比によって画像データの原画像サイズを瞬時に把握できるという効果を維持しつつ、小さい画像サイズの画像を表示するインデックス画像の内容（原画像の内容）も把握しやすくすることができる。
【００１１】
また、請求項３に記載の発明は、請求項１又は請求項２に記載の画像表示プログラムにおいて、前記インデックス画像サイズ記憶手段に記憶されているインデックス画像サイズは、記録媒体に記録されている複数の画像データの各原画像サイズが一定範囲内に揃っている場合に、当該各原画像サイズに対応するインデックス画像同士の相対的な大小関係を維持し、かつ、当該各原画像サイズに対応するインデックス画像がインデックス画像表示領域に収まる最大のサイズとなるように設定されているものである。
【００１２】
また、請求項６に記載の発明は、請求項４又は請求項５記載の画像表示装置において、前記インデックス画像サイズ記憶手段に記憶されているインデックス画像サイズは、記録媒体に記録されている複数の画像データの各原画像サイズが一定範囲内に揃っている場合に、当該各原画像サイズに対応するインデックス画像同士の相対的な大小関係を維持し、かつ、当該各原画像サイズに対応するインデックス画像がインデックス画像表示領域に収まる最大のサイズとなるように設定されているものである。
【００１３】
これらの構成によれば、小さい画像サイズの画像のインデックス画像のみを一覧表示する場合には、インデックス画像がインデックス画像表示領域の全域に大きく表示されるので、インデックス画像の内容（原画像の内容）を容易に把握することができる。
【００１４】
【発明の実施の形態】
以下、本発明の一実施形態に係る画像表示装置及び画像表示プログラムについて図面を参照して説明する。図１は本発明に係る画像表示装置の概略構成を示すブロック図である。図１に示す画像表示装置１は、パーソナルコンピュータ等から構成される。画像表示装置１は、装置全体の動作制御を司るＣＰＵ２を備え、このＣＰＵ２には、内部バスによって入力装置３，ＲＯＭ４，ＲＡＭ５，記憶装置６，ディスプレイ７及び記録媒体駆動装置８が接続されている。これら各部はＣＰＵ２の制御の下、内部バスを介して各種データが各部間で入出力され、各種処理が実行される。
【００１５】
入力装置３はキーボードやマウス等から構成され、ユーザによって操作指示等が入力される。ＲＯＭ４には、装置全体の動作制御用のシステムプログラム等が記憶されている。記憶装置６は、ハードディスクドライブ等から構成され、本発明に係る画像表示プログラム等が記憶されている。ＣＰＵ２は、記憶装置６から画像表示プログラム等を読み出し、その処理を実行して各ブロックの動作を制御する。また、ＲＡＭ５はＣＰＵ２の作業領域として用いられる。ディスプレイ７はＣＲＴ又は液晶表示装置等からなり、ＣＰＵ２による制御で各種画面を表示する。
【００１６】
上記画像表示プログラムは、ＣＤ−ＲＯＭ、ＦＤ等の記録媒体９から、ディスクドライブ等で構成される記録媒体駆動装置８を用いて記憶装置６に記録するようにしてもよい。また、当該画像表示装置１がネットワークを介して他のコンピュータ等に接続されている場合には、当該コンピュータ等からネットワークを介して画像表示プログラム等をダウンロードしてもよい。
【００１７】
次に、上記のように構成された画像表示装置１の主要な機能について説明する。図２は画像表示装置１の主要機能ブロック図である。図２に示すように、画像表示装置１では、記憶装置６に記憶された画像表示プログラムに従って、ＣＰＵ２がプログラム実行部として機能する。ＰＤＦ形式やＪＰＥＧ形式等の画像データ１〜ｎが記憶されたＣＤ−ＲＯＭ等の記録媒体９は記録媒体駆動装置８を介してＣＰＵ２によって読み出される。なお、当該画像データは記憶装置６に記憶されたものであってもよい。記録媒体９から読み出された画像データは、その内容を表示するインデックス画像がＣＰＵ２によって生成され、生成されたインデックス画像は画像メモリとして機能するＲＡＭ５に一旦転送され（図示省略）、ディスプレイ７に表示される。
【００１８】
ＣＰＵ２は、記憶装置６内の画像表示プログラムによる指示に基づいて、記録媒体９に記録されている画像データを読み出す画像データ読出部（画像データ読出手段）２１と、画像データの内容が縮小表示されるインデックス画像を生成するインデックス画像生成部（インデックス画像生成手段）２２と、生成したインデックス画像をＲＡＭ５を介してディスプレイ７の画面上に表示させるインデックス画像表示部（インデックス画像表示手段）２３として機能する。
【００１９】
上記インデックス画像生成部２２は、読み出した画像データから、画像表示プログラム内に記憶されているインデックス画像サイズ通りの大きさでインデックス画像を生成する。このインデックス画像サイズは、画像表示プログラム内のインデックス画像サイズ記憶部（インデックス画像サイズ記憶手段）に記憶されており、画像データの各原画像サイズ（画像の大きさであり、スキャナ等による画像データ読込時の取り込み用紙のサイズ）に応じて異なるサイズとなるように設定されている。すなわち、原画像サイズが大きい場合はインデックス画像サイズが大きく、原画像サイズが小さい場合はインデックス画像サイズが小さく設定されている。
【００２０】
画像サイズ記憶部に記憶されている当該インデックス画像サイズは、各画像データの原画像サイズの違いに応じて異なるが、さらに、Ａ０等の大きい原画像サイズの画像データについてのインデックス画像サイズは、原画像サイズからの縮小率を大きく設定し、また、名刺サイズ等の小さい原画像サイズの画像データのインデックス画像サイズは、原画像サイズからの縮小率を小さく設定している。
【００２１】
次に、上記インデックス画像生成処理の第１の実施形態について説明する。図３は当該インデックス画像生成処理のフローチャート、図４は各原画像サイズに対応するインデックス画像サイズの対比をグラフで示した図、図５はインデックス画像のディスプレイ上での表示例を示す図である。
【００２２】
記録媒体９に記憶されている画像データを用いてインデックス画像を生成する場合、ＣＰＵ２は、まず記録媒体９のディレクトリ内の画像情報に基づいて当該画像データの原画像サイズを確認し（Ｓ１）、当該原画像サイズに対応するインデックス画像サイズを、画像表示プログラム内のインデックス画像サイズ記憶部から読み出して決定する（Ｓ２）。
【００２３】
このインデックス画像のサイズは、画像データの原画像サイズ毎に異なるが、上述したように、基準サイズ（Ａ３，Ａ４サイズ等の事務に多用されるサイズ）よりも大きい原画像サイズ（Ａ０サイズ等）の画像データについては原画像サイズからの縮小率を大きくし、画像データの原画像サイズが基準サイズよりも小さい場合には（名刺サイズ等）、原画像サイズからの縮小率を小さくするように設定されており、図４のグラフに示すように、画像データの原画像サイズが大きくなっても、対応するインデックス画像サイズは完全に比例して大きくならないように設定されている。
【００２４】
例えば、画像データの原画像サイズが、事務用紙として多用されるＡ４サイズ、Ｂ４サイズ、Ａ３サイズの場合は、原画像サイズがＡ４サイズからＡ３サイズへと大きくなるのに比例させてインデックス画像サイズも大きくする。Ａ３サイズよりも大きい原画像サイズ（Ａ２以上のサイズ）の画像データについては、原画像サイズからの縮小率を大きくして、生成されるインデックス画像サイズを原画像サイズがＡ４〜Ａ３サイズの画像データのインデックス画像サイズに近付ける。このＡ３サイズよりも大きいサイズの画像データのインデックス画像サイズは、他の原画像サイズの画像データのインデックス画像サイズとの相対的な大小関係を維持しつつ、当該インデックス画像の１頁分全体が表示されるように設定されている。
【００２５】
また、Ｂ５サイズ以下のサイズ（Ａ４サイズよりも小さいサイズ）の画像データについては、原画像サイズからの縮小率を小さくして、インデックス画像サイズをＡ４〜Ａ３サイズの画像データのインデックス画像サイズに近付ける。この場合のインデックス画像サイズは、原画像サイズの画像サイズの大小関係を維持した最大の大きさであって、当該インデックス画像の１頁分全体が表示されるように設定されている。
【００２６】
上記インデックス画像サイズの決定後、記録媒体９から当該画像データを読み出し（Ｓ３）、読み出した画像データを間引処理等により縮小処理して当該決定したサイズのインデックス画像を生成する（Ｓ４）。そして、生成したインデックス画像のデータをＲＡＭ５（画像メモリ）に転送し（Ｓ５）、当該インデックス画像をディスプレイ７に表示させる（Ｓ６）。以上の処理は、記録媒体に記録されている全ての画像データについて行う。
【００２７】
このようにしてインデックス画像を生成すれば、図５に示すように、ディスプレイ７の画面上に、サイズの如何に拘わらず各原画像の全内容を表示しつつ、各画像データ同士の原画像サイズの大小関係も表示されるので、ユーザは表示された各インデックス画像を視認して、表示されているインデックス画像の大きさを比較することによって、必要なサイズの画像データを瞬時に選択することができる。また、Ａ０サイズ等の大きな原画像サイズであっても、画像１頁分の全内容が表示され、名刺サイズのような小さな原画像サイズであっても、インデックス画像が大きく表示されるので、ユーザは画像データの原画像サイズの大小に拘わらず、画像データの内容を容易に把握することができる。
【００２８】
次に、インデックス画像生成処理の第２実施形態について説明する。図６は当該インデックス画像生成処理の第２実施形態を示すフローチャート、図７及び図８は生成したインデックス画像のディスプレイ上での表示例を示す図である。本第２実施形態では、記録媒体９に記録されている複数の画像データの各原画像サイズを比較して、複数の画像データの各原画像サイズが一定範囲内に揃っている場合（例えば、複数の画像データの原画像サイズが同じような大きさのサイズばかりである場合や、名刺サイズからＡ０サイズまでのように様々な大きさにバラついていない場合等）は、当該インデックス画像を、他の原画像サイズの画像データのインデックス画像との相対的な大小関係を維持しつつ、１つのインデックス画像を表示するために割り当てられた区画（インデックス画像表示領域）内に収まる最大の大きさとなるように拡大して生成する。
【００２９】
上記第２実施形態に係るインデックス画像生成処理を行う場合、ＣＰＵ２は、まず記録媒体９のディレクトリ内の画像情報に基づいて、記録媒体９に記録されている複数の画像データの各原画像サイズを確認する（Ｓ１１）。そして、各画像データの原画像サイズが一定範囲内に揃っているかを確認する（Ｓ１２）。
【００３０】
ここで、各画像データの原画像サイズが一定範囲内に揃っている場合は（Ｓ１２でＹＥＳ）、各画像データについて生成するインデックス画像サイズを所定の大サイズに決定する（Ｓ１３）。この所定の大サイズとは、上述したように、各画像データの原画像サイズの相対的な大小関係を維持したままで、インデックス画像表示領域内に収まる最大の大きさに拡大したインデックス画像サイズである。このような拡大したインデックス画像サイズは、インデックス画像を生成すべき画像データの原画像サイズの組み合わせに応じて、画像表示プログラム内の画像サイズ記憶部に記憶しておく。
【００３１】
また、記録媒体９に記録されている各画像データの原画像サイズが一定範囲内に揃っていない場合（Ｓ１２でＮＯ）、例えば、記録媒体９の画像データの原画像サイズが名刺サイズからＡ０サイズまで多様であってバラツキがある場合等は、各画像データのインデックス画像サイズは、第１実施形態と同様、画像データ同士の原画像サイズの相対的な関係に拘わらず、画像データに対して予め定められた標準サイズをインデックス画像サイズ記憶部から読み出して、インデックス画像サイズとして決定する（Ｓ１８）。
【００３２】
上記インデックス画像サイズの決定後、記録媒体９から各画像データを読み出し（Ｓ１４）、読み出した画像データを間引処理等により当該決定したサイズのインデックス画像を生成する（Ｓ１５）。そして、生成したインデックス画像のデータをＲＡＭ５（画像メモリ）に転送し（Ｓ１６）、当該インデックス画像をディスプレイ７に表示させる（Ｓ１７）。
【００３３】
例えば、記録媒体９に原画像サイズがＡ５サイズと名刺サイズの画像データのみが記録されている場合は、図７に示すように、Ａ５サイズの画像データのインデックス画像サイズを、インデックス画像表示領域に収まる最大の大きさに拡大したサイズとすると共に、名刺サイズの画像データのインデックス画像を、Ａ５サイズの画像データのインデックス画像を拡大させたことに対応させた拡大サイズとし、Ａ５サイズの画像データよりは小さくして、Ａ５サイズの画像データのインデックス画像との相対的な大小関係は維持する。
【００３４】
また、図８に示すように、記録媒体９に記録されている画像データの原画像サイズが名刺サイズのみであり、小さなサイズ１種類のみであるような場合は、この名刺サイズの画像データのインデックス画像をインデックス画像表示領域に収まる最大の大きさに拡大したサイズに決定する。
【００３５】
なお、このような拡大したインデックス画像サイズは、記録媒体９に記録されている画像データの原画像サイズの組み合わせに応じて、画像表示プログラム内のインデックス画像サイズ記憶部に記憶しておくことが好ましい。
【００３６】
このように、記録媒体９に大きな原画像サイズの画像データが記録されていない場合に、当該画像データの中で一番大きな原画像サイズの画像データのインデックス画像をインデックス画像表示領域に収まる最大の大きさに拡大して生成すれば、小さい原画像サイズの画像データのみのインデックス画像を表示する場合、インデックス画像の内容が大きく表示されるので、ユーザが画像データの内容を容易に把握することができる。
【００３７】
なお、本発明は上記実施の形態の構成に限られず種々の変形が可能である。例えば、上記実施の形態では、画像データのインデックス画像サイズを図４に示す大きさとしているが、インデックス画像サイズは当該サイズに限定されるものではなく、適宜変更が可能である。
【００３８】
【発明の効果】
以上のように本発明によれば、記録媒体から読み出した画像データの原画像サイズが基準サイズよりも大きい場合には、他の原画像サイズの画像データのインデックス画像との相対的な大小関係を維持したまま、原画像サイズに対する縮小率を大きくしてインデックス画像を生成するので、生成した複数のインデックス画像の一覧表示時に各インデックス画像同士のサイズを対比することによって、各画像データの原画像サイズを瞬時に把握することができ、必要な原画像サイズの画像データを簡単に見つけ出すことができる。更に、インデックス画像全体の少なくとも１頁部に全体を表示するので、ユーザがインデックス画像（原画像）の内容を把握し易い。
【００３９】
また、インデックス画像サイズ記憶部に、基準サイズよりも小さい画像サイズの画像データのインデックス画像サイズとして、他の画像サイズの画像データのインデックス画像サイズとの相対的な大小関係を維持したまま、原画像データに対する縮小率を小さくしたものを記憶しておくようにすれば、基準サイズよりも小さい画像サイズの画像データのインデックス画像を大きく表示するので、一覧表示される各インデックス画像の大きさの対比によって画像データの原画像サイズを瞬時に把握できる効果を維持しつつ、小さい原画像サイズの画像データを表示するインデックス画像の内容（原の画像データの内容）も把握しやすくすることができる。
【００４０】
また、インデックス画像サイズ記憶部に記憶されているインデックス画像サイズを、記録媒体に記録されている複数の画像データの各原画像サイズが一定範囲内に揃っている場合に、当該各原画像サイズの画像データのインデックス画像同士の相対的な大小関係を維持し、かつ、当該各原画像サイズの画像データのインデックス画像がインデックス画像表示領域に収まる最大のサイズとなるように設定すれば、小さい原画像サイズの画像データのインデックス画像のみを一覧表示する場合に、インデックス画像がインデックス画像表示領域の全域に大きく表示されるので、小さい原画像サイズの画像データのインデックス画像を一覧表示する場合であっても、インデックス画像の内容（原の画像データの内容）を容易に把握することができる。
【図面の簡単な説明】
【図１】本発明に係る画像表示装置の概略構成を示すブロック図である。
【図２】本発明に係る画像表示装置の主要機能ブロック図である。
【図３】インデックス画像生成処理の第１実施形態を示すフローチャートである。
【図４】各画像サイズに対応するインデックス画像サイズの対比をグラフで示した図である。
【図５】各インデックス画像のディスプレイ上での表示例を示す図である。
【図６】インデックス画像生成処理の第２実施形態を示すフローチャートである。
【図７】第２実施形態に係るインデックス画像生成処理で生成したインデックス画像のディスプレイ上での表示例を示す図である。
【図８】第２実施形態に係るインデックス画像生成処理で生成したインデックス画像のディスプレイ上での表示例を示す図である。
【図９】従来の画像表示装置によるインデックス画像の表示例を示す図である。
【図１０】従来の画像表示装置によるインデックス画像の表示例を示す図である。
【符号の説明】
１　　画像表示装置
７　　ディスプレイ
９　　記録媒体
２１　画像データ読出部
２２　インデックス画像生成部
２３　インデックス画像表示部
【図１】
2004013355.tif 000003
【図２】
2004013355.tif 000004
【図３】
2004013355.tif 000005
【図４】
2004013355.tif 000006
【図５】
2004013355.tif 000007
【図６】
2004013355.tif 000008
【図７】
2004013355.tif 000009
【図８】
2004013355.tif 000010
【図９】
2004013355.tif 000011
【図１０】
2004013355.tif 000012